(57)【要約】新型蛍光ランプは、ランプ管および電子安定器を備える。また、本蛍光ランプは外管を備えることを特徴として、この外管の各端部には外側プラグがある。プラグ内にはランプ管ソケットが差し込まれる。電子安定器は、一端部におけるプラグとソケットとの間にあり、ランプ管は２つのソケットの間に配置される。緊急時の点灯、電子安定器および小型ランプ管を一体化でき、取付けおよび交換が容易であり、取付けコストが減少する。再設置の際に元の手段を維持して、廃棄物への影響を軽減できる。軽量である。力率が９５％以上の高い値である。省電力である。搬送コストが低い。演色評価数（ＣＲＩ）が８０％を上回る。ランプ管をつけた直後に点灯する。点滅がない。異なる電力のランプに適用できる。ランプ管の耐用期間を５０％延長できる。出力輝度が既存のランプの２倍以上高い。電源が偶発的に遮断した場合にもランプ管が安定に動作し、事故が減少する。共振波の全歪みが３０％未満である。
2005536840.tif 000002
【特許請求の範囲】
【請求項１】
ランプ管と、電子安定器と、２つのランプ管ソケットにそれぞれ差し込むための外側プラグを備えた２つの端部を有する外管とを備えており、前記電子安定器が、前記外側プラグのうちの一方と対応する前記ランプ管ソケットとの間に設けられており、前記ランプ管は、前記外管内部の前記の２つのランプ管ソケットの間に配置されている蛍光ランプ管。
【請求項２】
前記ランプ管が、小径の省電力型ランプ管である、請求項１に記載の蛍光ランプ管。
【請求項３】
前記外側プラグが、一般の蛍光ランプの２つの端部における外側プラグである、請求項１に記載の蛍光ランプ管。
【請求項４】
前記電子安定器が、整流器および高周波インバータを備えており、前記整流器の入力部が外部電源に接続されており、前記整流器が、交流電流（AC）を所要の電圧の直流電流（ＤＣ）に変換し、前記整流器の出力部が、前記高周波インバータに接続されており、前記高周波インバータが、前記ランプ管に電力を供給するために、直流電流（ＤＣ）を高周波交流電流（ＡＣ）に変換する、請求項１に記載の蛍光ランプ管。
【請求項５】
前記電子安定器を備えていない方の前記ランプ管ソケットと対応する前記外側プラグとの間に、電池用ブラケットをさらに備えており、前記電池ブラケットの内部には複数の電池が設置されており、前記電池は前記電子安定器の整流出力部に電気的に接続されている、請求項１に記載の蛍光ランプ管。
【発明の詳細な説明】
【技術分野】
【０００１】
本発明は、蛍光ランプ管に関する。
【背景技術】
【０００２】
現在、広く利用されている蛍光ランプは、ランプ管、安定器、始動器、およびこれらの部材を支持するための金属製ブラケットにより構成されている。既存の安定器の多くは、誘導性のものである。このようなタイプの蛍光ランプには以下のような欠点がある。（１）電力消費が高い。（２）安定器の動作時にノイズが生じる。（３）安定器の交換工程が複雑で、かつその交換の労働コストが高い。（４）この蛍光ランプの力率および照明強度が低い。（５）始動時にライトパイプが点滅する。（６）電力遮断時にライトパイプの輝度を維持することができない。（７）始動器が消耗したときにライトパイプを同様に始動することができない。（８）誘導性安定器が鉄および銅からなるため、環境に優しくない。（９）金属製ブラケットと誘導性安定器とにより重量が過度になる。（１０）電源に多大な悪影響をもたらすほどに高調波歪みが大きい。
【０００３】
中華人民共和国香港特別行政区の政府は、２０００年７月１日、電力会社２社、チャイナ・ライト＆パワーグループ（China Light & Power Group）および香港エレクトリックグループ（Hong Kong Electric Group）と共に、「電力の需要の運用（Management For The Demand Of Electric Power"」という名称の計画を提案した。これは、中小企業が、旧式の誘導性安定器および旧式のライトパイプを省電力型の安定器および省電力型のライトパイプに交換するために助成金という形で支援することを目的としたものである。この改革は、一時期、関連の会社により継続的に促進されていたが、まだ比較的に遅れている。その主な原因は、多くの企業にとって上述の交換にかかるコストは高すぎ、かつ交換後の多数の金属製ブラケットおよび安定器は、環境上の問題を引き起こすことによる。
【発明の概要】
【０００４】
本発明の目的は、低コストでかつ交換が簡単な新型の蛍光ランプ管を提供することによって、従来技術における上述したような欠点を解消することである。
【０００５】
本発明の目的は、以下の技術的解決法により実現することができる。
【０００６】
新型の蛍光ランプ管は、ランプ管と、電子安定器と、ランプ管ソケットの外側プラグにより両端部が固定された外管とを備えており、電子安定器は、上述の外側プラグのうちの一方と対応するランプ管ソケットとの間に設けられており、上述のランプ管は、上述の外管内の２つのランプ管ソケットの間に配置されている。
【０００７】
以上の不可欠な技術的特徴の他に、実行する際に以下の技術内容を追加することが可能である。
ランプ管を、小径の省電力型ランプ管とする。
外側プラグを、一般の蛍光ランプの両端部におけるプラグとする。
電子安定器を、整流器および高周波インバータにより構成されたものとし、整流器は、その入力部が外部電源に接続されており、交流電流（AC）を所要の電圧の直流電流（ＤＣ）に変換し、さらに、その出力部は、高周波インバータに接続されている。この高周波インバータは、直流電流（ＤＣ）を、ランプ管のための電源としての高周波交流電流（ＡＣ）に変換する。
電子安定器を備えていない方のランプ管ソケットと対応する外側プラグとの間には電池を設置するためのブラケットが設けられており、その内部には複数の電池が設置されている。これらの電池は上述の電子安定器の整流出力部に電気的に接続されている。
【０００８】
本発明には、以下のような利点がある。
１．  非常時の照明、電子安定器および省電力型ライトパイプを一体化することができ、このため、設置および交換が容易になり、かつ設置コストが大幅に減少する。
２．  ９５％を上回る高い力率を有し、これによって、省電力化および運転コストの低減が可能となる。
３．  演色評価数（ＣＲＩ）が８０％を上回る。
４．  ランプ管をオンにした直後に点灯し、点滅することがない。
５．  別の電力のランプ管に適用可能である。
６．  ランプ管の耐用期間を５０％延長できる。
７．  出力光度が旧式のライトパイプの３倍を上回る。
８．  可搬型トーチとして利用できる。
９．  偶発的に電力が遮断された場合にも安定して動作し、従って、事故を低減することができる。
１０．  装備を元の設備のまま維持することができ、このため、悪影響を減少させることができる。
１１．  軽量である。
１２．  全高調波歪み（ＴＨＤ）が３０％未満である。
【０００９】
本発明の構造、特徴及び昨日を更に更に理解するために、添付図面を参照して以下の実施形態を詳細に説明する。
【詳細な説明】
【００１０】
図１に示されているように、本発明により提供される新型の蛍光ランプ管は、ランプ管１，電子安定器２および透明な材料（例えばガラスや透明プラスチック）からなる外管３を備えている。外管３の２つの端部は、ランプ管ソケット４の外側プラグ５により固定されており、電子安定器２は、前記外側プラグ５のうちの一方と対応するランプ管ソケット４との間に設けられている。ランプ管１は、外管３内の２つのランプ管ソケット４の間に配置されている。このランプ管を、小径の省電力型ランプ管とすることが可能であり、外側プラグ５は、一般の蛍光ランプの２つの端部におけるプラグである。従って、これらの部材は、従来の蛍光ランプの支持ブラケット上に直接に設けることが可能な新型の省電力型蛍光ランプ管を構成するものであり、電子安定器は、蛍光ランプ管内部に設けられ、別個の電子安定器を設置する必要はない。従って、上述の交換に必要なコストが低減される。
【００１１】
図２は、電子安定器の回路図である。電子安定器は、整流器１０および高周波インバータ２０により構成され、この整流器１０は、その入力部が外部電源に接続されており、交流電流（AC）を所要電圧の直流電流（ＤＣ）に変換する。整流器１０の出力部は高周波インバータ２０に接続されており、高周波インバータ２０は、直流電流（ＤＣ）を、上述のランプ管のための電源としての高周波交流電流（AC）に変換する。
【００１２】
本発明のこのような新型の蛍光ランプ管によれば、その両端部に設けられる外側プラグ５は、４本のピンを備えた、一般の蛍光ランプの両端部におけるプラグであり、実際には２本のピンにより外部電源に接続される。これらの４本のピンの目的は、上述のランプ管を従来の蛍光ランプの支持ブラケット上に直接に設置することである。具体的な製品においては、これらの２本のピンには印が付けられており、これによって外部電源に接続されるようになっている。
【００１３】
電子安定器を備えていない方のランプ管ソケットと対応する外側プラグとの間には電池を設置するためのブラケットが設けられており（図３に示されている）、その内部には複数の電池６が設置されている。これらの電池は上述の電子安定器の整流出力部に電気的に接続されており、これによって、偶発的に電源が遮断された場合にも安定した動作が可能であり、このため、事故が減少するとともに、可搬型トーチとして利用できる。
【図面の簡単な説明】
【００１４】
【図１】本発明の実施形態の断面図を示している。
【図２】本発明の電子安定器の回路図を示している。
【図３】本発明の他の実施形態の断面図を示している。
【図１】
2005536840.tif 000003
【図２】
2005536840.tif 000004
【図３】
2005536840.tif 000005
【国際調査報告】
2005536840.tif 000006
2005536840.tif 000007
2005536840.tif 000008
2005536840.tif 000009